(57)【要約】      （修正有）【課題】使用者が簡単に操作、組立できるＵＳＢコネクタ組合せ構造を提供する。【解決手段】ＵＳＢコネクタ組合せ構造は基板１０、ベース２０及び複数の端子３０を包含し、基板上に端子コンタクトパッド１１が設けられ、ベースは基板上に設けられ、且つベース内に端子収容溝２１が設けられて複数の端子が挿入される。ベースよりストッパ板２２が延伸され、ストッパ板は基板に当接し、且つストッパ板は底部より挟持片２３が延伸され、挟持片は基板を挟持する。これによりベースが、基板上で跳ねあがる問題を防止し、抜き差し過程でベースに対する衝撃のため照準して抜き差しできなくなるのを防止できる。【選択図】図２
0003185158.tif 000002
【実用新案登録請求の範囲】
【請求項１】
基板、ベース及び複数の端子を包含し、該基板上に端子コンタクトパッドが設けられ、該ベースは該基板上に設けられ、該ベース内に端子収容溝が設けられて該複数の端子が挿入されるUSBコネクタ組合せ構造において、
該ベースよりストッパ板が延伸され、該ストッパ板が該基板に当接し、
該ベースの該ストッパ板は底部より挟持片が延伸され、該挟持片は該基板を挟持することを特徴とする、USBコネクタ組合せ構造。
【請求項２】
請求項１記載のUSBコネクタ組合せ構造において、該ベースの該ストッパ板上端にさらに斜面が設けられたことを特徴とする、USBコネクタ組合せ構造。
【請求項３】
請求項１記載のUSBコネクタ組合せ構造において、該ベースにさらに固定座が組み合わされ、且つ該ベースより固定部が延伸され、該固定部は該ベースの両側に設けられ、該固定部はＬ形体とされ、別に該固定座の中間より対応部が延伸され、該対応部は該ベースの固定部に対応し左右にそれぞれ一つ設けられ、該対応部にフック部が設けられて該固定部に嵌合し、これにより該固定座の対応部が該ベースの固定部と緊密に組み合わせられることを特徴とする、USBコネクタ組合せ構造。
【請求項４】
請求項３記載のUSBコネクタ組合せ構造において、該ベースの前端両側それぞれに辺溝が設けられ、該固定座はさらに両側に前向きに階段状を呈するよう延伸されたアーム体が設けられ、該アーム体の内側よりリブブロックが延伸され、該固定座のアーム体の内側のリブブロックが該ベースの辺溝内に嵌入することを特徴とする、USBコネクタ組合せ構造。
【請求項５】
請求項１記載のUSBコネクタ組合せ構造において、該複数の端子の他端に折り曲げ上撥ね部が設けられ、該折り曲げ上撥ね部は該ベース外に露出し、且つ該基板の端子コンタクトパッドに圧接することを特徴とする、USBコネクタ組合せ構造。
【請求項６】
請求項３記載のUSBコネクタ組合せ構造において、該固定座内にさらに階段凹部が設けられ、該階段凹部が該複数の端子に圧接することを特徴とする、USBコネクタ組合せ構造。
【請求項７】
請求項１記載のUSBコネクタ組合せ構造において、該基板、該ベース、及び該固定座がさらに中空被覆体中に挿入され、該中空被覆体は緊密にベース及び固定座に当接することを特徴とする、USBコネクタ組合せ構造。
【考案の詳細な説明】
【技術分野】
【０００１】
本考案は一種のUSBコネクタ組合せ構造に係り、特に、基板、ベース及び複数の端子の組合せ設計により、該ベースの、その置かれた基板上での跳ね上がり易い問題を防止し、各種のUSBコネクタ或いは類似の構造に適用されるものに関する。
【背景技術】
【０００２】
現在、USBコネクタを使用する要求はますます多くなり、特に電子製品或いはコンピュータ製品はいずれもUSBコネクタを使用してメモリの拡充を行っており、USB端子はホットプラグアンドプレイの機能を有するため、USB端子は標準の伝送インタフェースとなっている。
【０００３】
且つ、既存のUSBコネクタ、たとえばＵＳＢ３．０のベース内部には９本の端子を収容する必要があり、これによりベースは小さすぎてはならず、且つベース前端には時として基板前端とアラインするが、もし端子にソルダリングを利用してその前端の端子部分が有し得る二つの延伸端をソルダポイントにソルダリングすると、ベース前端を跳ねあがらないようにできるが、もし端子にソルダリングを使用しない場合は、ベース前端の端子はソルダリングされないため、ベース前端は制圧されず跳ねあがってしまい、抜き差し過程中にベース前端の跳ね起きにより正確に照準して抜き差しできず、重複して抜き差ししなければならなくなる。
【０００４】
これにより、本考案は上述の欠点を鑑み、使用者が簡単に操作、組立できるUSBコネクタを提供し、使用者に便利性を提供することを創作の動機としている。
【考案の概要】
【考案が解決しようとする課題】
【０００５】
本考案の主要な目的は、一種のUSBコネクタ組合せ構造を提供することにあり、それは、基板、ベース及び複数の端子の組合せ設計により、該基板上に端子コンタクトパッドが設置され、該ベースは該基板上に設けられ、且つベース内に端子収容溝が設けられて複数の端子が挿入され、その特徴は、該ベースよりストッパ板が延伸され、該ストッパ板が該基板に当接し、且つ該ストッパ板は底部より挟持片が延伸され、該挟持片は該基板を挟持する。これにより、ベースがその置かれた基板上で跳ねあがるのを防止し、且つ抜き差し過程でベースに衝突して照準して挿入できないために重複して抜き差し動作を行わねばならない問題を防止し、全体の実用性を増したものとする。
【０００６】
本考案の次の目的は、一種のUSBコネクタ組合せ構造を提供することにあり、それは、該ベースのストッパ板の底部より挟持片が延伸され、該挟持片は該基板を挟持でき、該ベースを該基板上にしっかりと固定でき、且つ該ベースのストッパ板上端に斜面が設けられ、挿入時に、接触してスライドするのに便利で挿入が順調に行えない現象の発生を防止し、これにより全体の組合せの構造性を増すものとする。
【０００７】
本考案のさらに一つの目的は、一種のUSBコネクタ組合せ構造を提供することにあり、それは、複数の端子がベース外に延伸され、ベース外の複数の端子には折り曲げ上撥ね部が設けられ、並びに固定座の階段凹部により端子の折り曲げ上撥ね部が制圧され、これにより複数の端子がソルダリングによらずに強固に基板の端子コンタクトパッド上に置かれ、且つ全体がスピーディーに組立られ、これにより、生産の便利性のほか、全体の実用性を増したものとする。
【課題を解決するための手段】
【０００８】
本考案のUSBコネクタ組合せ構造は基板、ベース及び複数の端子を包含し、該基板上に端子コンタクトパッドが設けられ、該ベースは該基板上に設けられ、且つ該ベース内に端子収容溝が設けられて該複数の端子が挿入される。その特徴は、該ベースよりストッパ板が延伸され、該ストッパ板は該基板に当接し、且つ該ストッパ板は底部より挟持片が延伸され、該挟持片は該基板を挟持することにある。
【考案の効果】
【０００９】
本考案のUSBコネクタ組合せ構造は基板、ベース及び複数の端子を包含し、該基板上に端子コンタクトパッドが設けられ、該ベースは該基板上に設けられ、且つ該ベース内に端子収容溝が設けられて該複数の端子が挿入される。その特徴は、該ベースよりストッパ板が延伸され、該ストッパ板は該基板に当接し、これにより該ベースが、その置かれた該基板上で跳ねあがる問題を防止し、且つ抜き差し過程でベースに対する衝撃のため照準して抜き差しできなくなり重複して抜き差し動作を行わねばならなくなるのを防止し、全体に実用性を具備したことにある。
【図面の簡単な説明】
【００１０】
【図１】本考案の実施例の外観図である。
【図２】本考案の実施例の分解図である。
【図３】本考案の実施例のベースと端子のもう一つの実施図である。
【図４】本考案の実施例の固定座背面外観図である。
【図５】本考案の実施例のＡ−Ａ断面図である。
【図６】本考案の実施例の中空被覆体の局部透視図である。
【図７】本考案の実施例の中空被覆体の断面図である。
【考案を実施するための形態】
【００１１】
図１〜図７を参照されたい。それは本考案の実施例の表示図である。本考案は一種のUSBコネクタ組合せ構造であり、それは、基板１０、ベース２０、複数の端子３０を包含する。該基板１０上に端子コンタクトパッド１１が設けられる。該ベース２０は該基板１０上に置かれ、ベース２０内に端子収容溝２１が設けられて複数の端子３０の挿入に供される。その特徴は、該ベース２０よりストッパ板２２が延伸され、該ストッパ板２２が基板１０に当接し、且つ該ストッパ板２２は底部より挟持片２３が延伸され、該挟持片２３は該基板１０を挟持することにある。
【００１２】
そのうち、該ベース２０の該ストッパ板２２上端にさらに斜面２２１が設けられた。
【００１３】
また、該ベース２０にさらに固定座４０が設けられ、且つベース２０上より固定部２４が延伸され、該固定部２４はベース２０の両側に設けられ、固定部２４はＬ形体とされる。また固定座４０の中間より対応部４１が延伸され、且つ対応部４１はベース２０の固定部２４に対応し、左右にそれぞれ一つが設けられる。対応部４１にはフック部４１１が設けられ、固定部２４に嵌合し、これにより固定座４０上の対応部４１と該ベース２０の固定部２４が緊密に組み合わされる。
【００１４】
また、ベース２０はさらに前端両側に辺溝２５が設けられ、固定座４０はさらに両側に前向きに階段式に延伸されたアーム体４２が設けられ、且つアーム体４２の内側にはリブブロック４２１が設けられ、固定座４０のアーム体４２の内側のリブブロック４２１はベース２０の辺溝２５内に嵌入する。
【００１５】
また、該複数の端子３０の他端に折り曲げ上撥ね部３１が設けられ、且つ該折り曲げ上撥ね部３１はベース２０外に露出し、且つ基板１０の端子コンタクトパッド１１に当接する。
【００１６】
また、該固定座４０内に階段凹部４３が設けられ、該階段凹部４３は複数の端子３０に当接する。
【００１７】
また、基板１０、ベース２０及び固定座４０はさらに中空被覆体５０中に挿入され、該中空被覆体５０は緊密にベース２０及び固定座４０上に当接する。
【００１８】
図１〜７に示されるのは、本考案の実施例の表示図である。本考案のUSBコネクタ組合せ構造の最良の実施方式は、標準USBインタフェース、Mini USBインタフェース、Micro USBインタフェース、USB3.0スタンダード-A インタフェース、USB3.0スタンダード-B インタフェース、或いはUSB3.0パワード-Bインタフェースのいずれかとされる。
【００１９】
本考案は、基板１０、ベース２０、複数の端子３０を包含し、該基板１０上に端子コンタクトパッド１１が設けられ、該端子コンタクトパッド１１は複数の端子３０に合わせて設置される。また、ベース２０は基板１０上に置かれ、ベース２０内には端子収容溝２１が設けられ、且つ複数の端子３０の一端はベース２０の端子収容溝２１内に挿入される（図１及び図２に示されるとおり）。
【００２０】
該ベース２０の前端に下向きに折り曲げられて延伸されたストッパ板２２が設けられ、該ストッパ板２２は基板１０の前端に当接し、基板１０を前向きにスライドさせない。且つ該ストッパ板２２の上端には斜面２２１が設けられ、挿入時に接触してスライドするのに便利で（図３に示されるとおり）、これにより、挿入が順調に行えない現象が発生しにくい。
【００２１】
また、該ベース２０のストッパ板２２は底部より挟持片２３が延伸されてもよく、該挟持片２３は基板１０の前端を挟持し（図１に示されるとおり）、ベース２０をさらに強固に基板１０上に設置し、ベース２０外に露出する端子３０の折り曲げ上撥ね部３１が容易にはぐらついたり振動したりしないようにする。該ストッパ板２２の上端には一様に斜面２２１が設けられ、これにより挿入時に接触してスライドするのに便利で、挿入が順調に行えない現象を発生させない。
【００２２】
さらに、該ベース２０は固定座４０に組み合わされ、且つベース２０の両側よりそれぞれ固定部２４が延伸され、該固定部２４はＬ形体とされる。また、該固定座４０も基板１０上に設置され（図２に示されるとおり）、且つ該固定座４０は中間より対応部４１が延伸され、該対応部４１はベース２０の固定部２４に対応して左右辺にそれぞれ一つが設けられる。且つ上述の対応部４１にはフック部４１１が設けられ、固定座４０がベース２０に挿入される時、該対応部４１のフック部４１１が固定部２４に嵌合し、これにより固定座４０がベース２０と緊密に組み合わされる。
【００２３】
また、ベース２０の前端両側には辺溝２５が設けられ、固定座４０の両側には前向きに階段状を呈するように延伸されたアーム体４２が設けられ、且つアーム体４２の内側よりリブブロック４２１が延伸される。固定座４０がベース２０に挿入される時、ベース２０の固定部２４は固定座４０の階段状のアーム体４２上に置かれ、アーム体４２の内側のリブブロック４２１が対応するベース２０の辺溝２５内に嵌入し、これにより、固定座４０がベース２０と緊密に組み合わされる（図５に示されるとおり）。
【００２４】
また、該複数の端子３０の他端には折り曲げ上撥ね部３１が設けられ、且つ該折り曲げ上撥ね部３１はベース２０外に露出し（図３に示されるとおり）、折り曲げ上撥ね部３１の折り曲げ部分は、基板１０の端子コンタクトパッド１１上に当接し、さらに、該固定座４０内には階段凹部４３が設けられ（図４に示されるとおり）、該階段凹部４３はベース２０外に露出する端子３０の折り曲げ上撥ね部３１を収容し、且つ該階段凹部４３の上端は端子３０の折り曲げ上撥ね部３１に当接する。
【００２５】
固定座４０とベース２０が緊密に組み合わされる時、該固定座４０の底部内の階段凹部４３が端子３０の折り曲げ上撥ね部３１を制圧して基板１０の端子コンタクトパッド１１と圧接させ（図５に示されるとおり）、これによりベース２０外に露出する端子３０の折り曲げ上撥ね部３１がぐらつき或いは振動により接触不良の現象を発生することがない。
【００２６】
最後に、上述のように組み合わせた基板１０、ベース２０、及び固定座４０を中空被覆体５０中に挿入し、該中空被覆体５０の一側は緊密にベース２０及び固定座４０に当接し、且つ該ベース２０の固定部２４にはリブ２４１が設けられ（図６に示されるとおり）、固定座４０にもまたリブ４４が設けられ、また、中空被覆体５０内に対応する滑り溝（図示せず）が設けられる。
【００２７】
ベース２０と固定座４０を中空被覆体５０に挿入する時、該ベース２０及び固定座４０上のリブ２４１、４４は対応する滑り溝（図示せず）内に滑り込み、基板１０、ベース２０及び固定座４０が中空被覆体５０内に固定され（図７に示されるとおり）、こうして全体の組立が完成し、ベース２０外に露出する端子３０の折り曲げ上撥ね部３１はソルダリングによらずにしっかりと基板１０上の端子コンタクトパッド１１に接触し、且つ強固にベース２０及び固定座４０が基板１０上に緊密に組合せられ、USBコネクタの製造工程が短縮され並びに生産能力が増加され、並びに製品使用の便利性がアップする。
【００２８】
以上の説明により本考案の属する技術の分野における通常の知識を有する者は本考案が明らかに前述の目的を達成することを理解でき、本考案は特許法の規定に符合し、ここに出願する次第です。
【００２９】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求の範囲のカバーする範囲内に属するものとする。
【符号の説明】
【００３０】
１０  基板
１１  端子コンタクトパッド
２０  ベース
２１  端子収容溝
２２  ストッパ板
２２１  斜面
２３  挟持片
２４  固定部
２４１  リブ
２５  辺溝
３０  端子
３１  折り曲げ上撥ね部
４０  固定座
４１  対応部
４１１  フック部
４２  アーム体
４２１  リブブロック
４３  階段凹部
４４  リブ
５０  中空被覆体
【図１】
0003185158.tif 000003
【図２】
0003185158.tif 000004
【図３】
0003185158.tif 000005
【図４】
0003185158.tif 000006
【図５】
0003185158.tif 000007
【図６】
0003185158.tif 000008
【図７】
0003185158.tif 000009